(57)【要約】【課題】測量機がスペックの保証範囲を超える環境下で使用されることを防ぐ通信管理システムを提供することを目的とする。【解決手段】上記目的のために、通信管理システムは、測量部（13）、温度センサ（15）、制御部（17）、および通信部（18）を備える測量機（TS）と、前記測量機と通信可能な管理サーバ（MS）と、前記管理サーバと通信可能な遠隔端末（RC）とを備え、前記遠隔端末は、前記測量機の使用可能温度を設定するとともに、前記使用可能温度と前記温度センサの取得した温度に対する判定と、前記判定の結果に対する動作を設定して、前記管理サーバに記憶させ、前記測量機は、自身の温度情報を前記管理サーバに送信し、前記管理サーバは、前記使用可能温度と前記温度センサの取得した温度を比較して前記判定を実行し、前記判定の結果に基づき前記動作を実行する。【選択図】図７
2019007904.tif 000002
【特許請求の範囲】
【請求項１】
ターゲットを測量する測量部、温度センサ、前記測量部を制御する制御部、および前記制御部と通信ネットワークとの通信を可能とする通信部を備える測量機と、
前記通信ネットワークを経て前記測量機と通信可能な管理サーバと、
前記管理サーバと通信可能な遠隔端末と、を備え、
前記遠隔端末は、前記測量機の使用可能温度を設定するとともに、前記使用可能温度と前記温度センサの取得した温度に対する判定と、前記判定の結果に対する動作を設定して、前記使用可能温度，前記判定，および前記動作を前記管理サーバに記憶させ、
前記測量機は、自身の温度情報を前記管理サーバに送信し、
前記管理サーバは、前記使用可能温度と前記温度センサの取得した温度を比較して前記判定を実行し、前記判定の結果に基づき前記動作を実行する
ことを特徴とする通信管理システム。
【請求項２】
ターゲットを測量する測量部、座標の測定を行うＧＰＳ装置、現在時刻を取得するシステムタイマ、前記測量部，前記ＧＰＳ装置，および前記システムタイマを制御する制御部、および前記制御部と通信ネットワークとの通信を可能とする通信部を備える測量機と、
前記通信ネットワークを経て前記測量機と通信可能な管理サーバと、
前記管理サーバと通信可能な遠隔端末と、を備え、
前記遠隔端末は、前記測量機の使用可能温度と前記測量機の位置および時間に関連する、使用可能条件を設定するとともに、前記ＧＰＳ装置の取得したＧＰＳ情報および前記システムタイマの取得した時刻情報から予測した予測温度と前記使用可能条件に対する判定と、前記判定の結果に対する動作を設定して、前記使用可能条件，前記判定，および前記動作を前記管理サーバに記憶させ、
前記測量機は、自身のＧＰＳ情報および時刻情報を前記管理サーバに送信し、
前記管理サーバは、前記使用可能温度と前記ＧＰＳ情報および時刻情報から予測した予測温度を比較して前記判定を実行し、前記判定の結果に基づき前記動作を実行する
ことを特徴とする通信管理システム。
【請求項３】
前記管理サーバは、前記判定において前記測量機の温度が前記使用可能温度外であった場合、前記動作として、前記測量機の所有者および／または管理者に通知，および／または，前記測量機に警告および／または機能停止を行う
こと特徴とする請求項１に記載の通信管理システム。
【請求項４】
前記管理サーバは、前記判定において前記測量機の予測温度が前記使用可能温度外であった場合、前記動作として、前記測量機の所有者および／または管理者に通知，および／または，前記測量機に警告および／または機能停止を行う
こと特徴とする請求項２に記載の通信管理システム。
【請求項５】
前記測量機は、前記ＧＰＳ情報として、自身の高度情報も前記管理サーバに送信し、
前記使用可能条件には、前記高度に関連する条件が追加され、
前記管理サーバは、前記高度情報に基づき前記予測温度を補正し、補正温度と前記使用可能温度を比較して前記判定を実行し、前記判定の結果に基づき前記動作を実行する
ことを特徴とする請求項２に記載の通信管理システム。
【発明の詳細な説明】
【技術分野】
【０００１】
本発明は、測量機の測定精度を保つための通信管理システムに関する。
【背景技術】
【０００２】
測量機（トータルステーション）は、測定点に置かれたターゲット対し測距光を照射し、その反射光を受光して測量を行う装置である。測量機は精密な機械であるため、測量機のスペック（測定精度）を保つためには、スペックの保証範囲を超えない温度下で使用されることが好ましい。
【０００３】
特許文献１に開示されているシステムは、測量機に温度センサを備え、この温度センサで基板温度を検出し、基板温度をメモリに保存するようになっている。そして、この温度情報は、管理会社の求めに応じて、インターネット通信により、測定エラーに関する履歴情報として送信される。
【先行技術文献】
【特許文献】
【０００４】
【特許文献１】特開２００７−１７０９７８号公報
【発明の概要】
【発明が解決しようとする課題】
【０００５】
上述のように、測量機に温度センサを備え、測量機の温度情報を遠隔地から知ることのできるシステムは従来から存在するが、温度情報は、測量機のエラー解析のための一情報（参考情報）として利用されているだけだった。
【０００６】
しかし、発明者は、測量機がスペックの保証範囲を超える環境下で使用された場合測定精度を保つことができないことを鑑みると、温度情報は、エラー解析のためだけでなく、スペック保証のために監視する情報として利用されるべきと考えた。
【０００７】
本発明は、測量機がスペックの保証範囲を超える環境下で使用されることを防ぎ、測量機の測定精度を保つための通信管理システムを提供することを目的とする。
【課題を解決するための手段】
【０００８】
上記課題を解決するために、本発明のある態様の通信管理システムは、ターゲットを測量する測量部、温度センサ、前記測量部を制御する制御部、および前記制御部と通信ネットワークとの通信を可能とする通信部を備える測量機と、前記通信ネットワークを経て前記測量機と通信可能な管理サーバと、前記管理サーバと通信可能な遠隔端末と、を備え、前記遠隔端末は、前記測量機の使用可能温度を設定するとともに、前記使用可能温度と前記温度センサの取得した温度に対する判定と、前記判定の結果に対する動作を設定して、前記使用可能温度，前記判定，および前記動作を前記管理サーバに記憶させ、前記測量機は、自身の温度情報を前記管理サーバに送信し、前記管理サーバは、前記使用可能温度と前記温度センサの取得した温度を比較して前記判定を実行し、前記判定の結果に基づき前記動作を実行する。
【０００９】
本発明の別の態様の通信管理システムは、ターゲットを測量する測量部、座標の測定を行うＧＰＳ装置、現在時刻を取得するシステムタイマ、前記測量部，前記ＧＰＳ装置，および前記システムタイマを制御する制御部、および前記制御部と通信ネットワークとの通信を可能とする通信部を備える測量機と、前記通信ネットワークを経て前記測量機と通信可能な管理サーバと、前記管理サーバと通信可能な遠隔端末と、を備え、前記遠隔端末は、前記測量機の使用可能温度と前記測量機の位置および時間に関連する、使用可能条件を設定するとともに、前記ＧＰＳ装置の取得したＧＰＳ情報および前記システムタイマの取得した時刻情報から予測した予測温度と前記使用可能条件に対する判定と、前記判定の結果に対する動作を設定して、前記使用可能条件，前記判定，および前記動作を前記管理サーバに記憶させ、前記測量機は、自身のＧＰＳ情報および時刻情報を前記管理サーバに送信し、前記管理サーバは、前記使用可能温度と前記ＧＰＳ情報および時刻情報から予測した予測温度を比較して前記判定を実行し、前記判定の結果に基づき前記動作を実行する。
【００１０】
上記態様において、前記管理サーバは、前記判定において前記測量機の温度が前記使用可能温度外であった場合、前記動作として、前記測量機の所有者および／または管理者に通知，および／または，前記測量機に警告および／または機能停止を行うのも好ましい。
【００１１】
上記別の態様において、前記管理サーバは、前記判定において前記測量機の予測温度が前記使用可能温度外であった場合、前記動作として、前記測量機の所有者および／または管理者に通知，および／または，前記測量機に警告および／または機能停止を行うのも好ましい。
【００１２】
上記別の態様において、前記測量機は、前記ＧＰＳ情報として、自身の高度情報も前記管理サーバに送信し、  前記使用可能条件には、前記高度に関連する条件が追加され、前記管理サーバは、前記高度情報に基づき前記予測温度を補正し、補正温度と前記使用可能温度を比較して前記判定を実行し、前記判定の結果に基づき前記動作を実行するのも好ましい。
【発明の効果】
【００１３】
本発明の通信管理システムによれば、測量機がスペックの保証範囲を超える環境下で使用されることを防ぐことができる。
【図面の簡単な説明】
【００１４】
【図１】本発明の第１の実施形態に係る通信管理システムの全体構成を示す図である。
【図２】第１の実施形態に係る測量機の構成ブロック図である。
【図３】第１の実施形態に係る遠隔端末の構成ブロック図である。
【図４】第１の実施形態に係る通信管理システムの設定時のフローチャートである。
【図５】第１の実施形態に係る設定時のＷｅｂページの一例である。
【図６】第１の実施形態に係る管理サーバの構成ブロック図である。
【図７】第１の実施形態に係る管理サーバの処理フローチャートである。
【図８】第１の実施形態に係る測量機に表示される警告の一例である。
【図９】本発明の第２の実施形態に係る測量機の構成ブロック図である。
【図１０】第２の実施形態に係る通信管理システムの設定時のフローチャートである。
【図１１】第２の実施形態に係る管理サーバの構成ブロック図である。
【図１２】第２の実施形態に係る管理サーバの処理フローチャートである。
【発明を実施するための形態】
【００１５】
次に、本発明の好適な実施の形態について、図面を参照して説明する。
【００１６】
（第１の実施形態）
（システムの全体構成）
図１は第１の実施形態に係る通信管理システム（以下、単にシステムとする）の全体構成を示す図である。図１において、符号ＴＳ１，ＴＳ２，およびＴＳｘ（以下、代表符号はＴＳとする）は複数ある管理対象の測量機のうちのいくつかを示し、符号ＭＳは管理サーバを示し、符号ＲＣは遠隔端末を示している。測量機ＴＳ１，ＴＳ２，ＴＳｘ、管理サーバＭＳ、および遠隔端末ＲＣは、インターネット等の通信ネットワークＮを介して互いに通信可能となっている。通信ネットワークＮは、社内ＬＡＮ等のローカル・エリア・ネットワークや、接続ケーブルや、衛星通信ネットワークなど、任意の通信ネットワークを含んでよい。
【００１７】
（測量機の構成）
図２は第１の実施形態に係る測量機の構成ブロック図である。測量機ＴＳは、トータルステーション（電子式測距測角儀）である。図２に示すように、測量機ＴＳは、測量部１３、温度センサ１５、制御部１７、通信部１８、表示部１９、回転駆動部２０を有する。
【００１８】
測量部１３は、測量機ＴＳの望遠鏡（図示せず）内に配置された発光素子，測距光学系，および受光素子を備えている。測量部１３は、上記発光素子から上記測距光学系を介して測距光を出射し、ターゲットからの反射光を上記受光素子で受光して、ターゲットまでを測距する。また、測量部１３は、上記望遠鏡の鉛直回転角および上記望遠鏡の筐体（図示せず）の水平回転角をロータリエンコーダで測定して測角する。
【００１９】
温度センサ１５は、測量機ＴＳの上記筐体内に取り付けられている。温度センサ１５は、外気温と近づけるため、上記筐体内に配置された整準用のチルトセンサ（図示せず）内に取り付けるのも好ましい。または、温度センサ１５は、測量機ＴＳに後付け（外付け）された構成であってもよい。
【００２０】
通信部１８は、通信ネットワークＮとの通信を可能にするものであり、例えばインターネットプロトコル（ＴＣＰ／ＩＰ）を用いてインターネットと接続する。
【００２１】
表示部１９は、液晶画面を有し、測量条件等を入力可能であり、測量に関する各種情報が表示される。回転駆動部２０は、モータであり、上記望遠鏡を鉛直回転させるものと、上記筐体を水平回転させるものがある。
【００２２】
制御部１７は、少なくともＣＰＵおよびメモリ（ＲＯＭ，ＲＡＭ等）を備える制御ユニットである。制御部１７は、測量アプリケーションプログラムを実行し、アプリケーションに従った画面を表示部１９に表示させる。制御部１７は、測量部１３および回転駆動部２０を駆動して、ターゲットの自動視準、測距および測角を行い、測定点の測量データを取得する。また、制御部１７は、通信部１８を用いて、通信ネットワークＮ経由で、管理サーバＭＳとの情報の送受信を行い、管理サーバＭＳからの指令を実行する。さらに、制御部１７は、管理サーバＭＳに、温度センサ１５で取得した温度情報を送信する。上記温度情報は、例えば、測量機ＴＳの電源がＯＮになった時、または、一時間に一回あるいは少なくとも一日に一回などの一定周期で、自動で送信される。制御部１７のメモリには、測量データと、上記処理ための各種プログラムが格納されている。
【００２３】
（遠隔端末の構成）
図３は第１の実施形態に係る遠隔端末の構成ブロック図である。遠隔端末ＲＣは、測量機メーカまたは代理店で所有されているパーソナルコンピュータ、スマートフォン、タブレット等の端末である。遠隔端末ＲＣは、図３に示すように、端末通信部３１と、端末制御部３２と、端末表示部３３と、端末入力部３４を少なくとも有する。
【００２４】
端末通信部３１は、通信ネットワークＮを介して、後述する管理サーバＭＳのサーバ通信部４１との間で情報の送受信が可能である。
【００２５】
端末入力部３４は、例えばキーボードなどであって、下記の設定を入力可能である。
【００２６】
端末制御部３２は、少なくともＣＰＵおよびメモリ（ＲＯＭ，ＲＡＭ等）を備える制御ユニットである。端末制御部３２は、今回の設定対象となる測量機（以下、符号をＴＳｘとする）の使用可能温度を設定する。また、使用可能温度と測量機ＴＳｘの温度センサ１５が取得した温度に対する判定を設定する。また、判定の結果に対する動作を設定する。以下、具体的に説明する。
【００２７】
図４は第１の実施の形態に係る通信管理システムの設定時のフローチャートである。まず、ステップＳ３０１で、測量機ＴＳｘの管理者は、遠隔端末ＲＣから、測量機メーカが提供する専用のＷｅｂページ１００にログインする。
【００２８】
次に、ステップＳ３０２に移行すると、端末表示部３３に、登録された複数の測量機のリストが表示されるので、管理者は、今回の設定対象となる測量機ＴＳｘを選択する。
【００２９】
次に、ステップＳ３０３に移行すると、測量機ＴＳｘの使用可能温度を設定する画面が表示される。Ｗｅｂページ１００には、使用可能な下限温度と上限温度を指定可能なインターフェースが実装されている。管理者は、Ｗｅｂページ１００上で、測量機ＴＳｘの使用可能な温度帯を設定する。
【００３０】
図５は、設定時のＷｅｂページの一例であり、測量機ＴＳｘの使用可能温度の設定例である。測量機ＴＳｘの使用可能温度は、図５に例示するように、下限温度の矢印１０１と上限温度の矢印１０２をそれぞれ水平方向に移動させることで、任意に選択できる。
【００３１】
次に、ステップＳ３０４に移行すると、Ｗｅｂページ１００に、ステップＳ３０３で設定した使用可能温度に対する判定の設定欄が表示される。判定の設定欄は、例えば、プルダウン形式やチェックボックスで、選択支が複数選択可能に表示される。選択支としては、例えば「使用可能温度外である場合」「使用可能温度内である場合」「上限温度以上から上限温度未満に変化した瞬間」または「下限温度以下から下限温度超に変化した瞬間」などが表示される。選択支は管理者が任意に追加できるように構成されてよい。管理者は、自身の管理の意向に従って判定（判定基準）を設定する。
【００３２】
次に、ステップＳ３０５に移行すると、Ｗｅｂページ１００に、ステップＳ３０４で設定した判定に対する動作の設定欄が表示される。動作の設定欄は、例えば、プルダウン形式やチェックボックスで、選択支が複数選択可能に表示される。選択支としては、例えば「登録されたメールアドレスに通知」「Ｗｅｂページ上で通知」「測量機に警告を表示」「測量機をロック（機能停止）」などが表示される。選択支は管理者が任意に追加できるように構成されてよい。管理者は、自身の管理の意向に従って動作を設定する。
【００３３】
次に、ステップＳ３０６に移行して、端末制御部３２は、上記ステップＳ３０３〜３０５で設定された使用可能温度、判定、および動作の情報を、端末通信部３１を介して管理サーバＭＳに送信する。端末制御部３２は、管理サーバＭＳから受信正常の応答を受けると、設定プログラムを終了する。
【００３４】
（管理サーバの構成）
図６は第１の実施形態に係る管理サーバの構成ブロック図である。管理サーバＭＳは、図６に示すように、サーバ通信部４１と、サーバ制御部４２と、データベース４３を少なくとも有する。
【００３５】
サーバ通信部４１は、通信ネットワークＮを介して、測量機ＴＳの通信部１８および端末通信部３１との間で情報の送受信が可能である。
【００３６】
データベース４３には、測量機ＴＳおよび遠隔端末ＲＣから受信した情報が、測量機ＴＳの管理番号と関連付けて保存される。
【００３７】
サーバ制御部４２は、少なくともＣＰＵおよびメモリ（ＲＯＭ，ＲＡＭ等）を備える制御ユニットである。サーバ制御部４２は、図６に示すように、使用可能温度読出し部４４、使用可能温度判定部４５、および動作実行部４６を備える。
【００３８】
使用可能温度読出し部４４は、管理サーバＭＳから送信されてデータベース４３に保存された、測量機ＴＳｘの使用可能温度（下限温度および上限温度）を読み出す。使用可能温度判定部４５は、測量機ＴＳｘの使用可能温度と測量機ＴＳｘの温度を比較して、管理サーバＭＳから送信されデータベース４３に保存された判定に基づき、測量機ＴＳｘの温度が使用可能温度内か外かの判定を実行する。動作実行部４６は、管理サーバＭＳから送信されデータベース４３に保存された動作を読出し、使用可能温度判定部４５の判定の結果に基づき、設定された動作を実行する。以下、具体的に説明する。
【００３９】
図７は、第１の実施形態に係る管理サーバの処理フローチャートである。まず、ステップＳ４０１で、管理サーバＭＳは、測量機ＴＳｘから、現在の温度を受信する。管理サーバＭＳは、温度情報を受け取ると、ステップＳ４０２に移行する。
【００４０】
次に、ステップＳ４０２に移行すると、使用可能温度読出し部４４が測量機ＴＳｘの使用可能温度をデータベース４３から読出し、使用可能温度判定部４５が、使用可能温度と測量機ＴＳｘの温度を比較する。判定の条件を満たさない場合は、管理サーバＭＳは処理を終了する。一方、判定の条件を満たす場合は、ステップＳ４０３に移行して、動作実行部４６が、設定された動作を実行する。その後、管理サーバＭＳは処理を終了する。
【００４１】
第１の実施形態に係る通信管理システムの使用例を示す。
（１）使用者は、遠隔端末ＲＣでＷｅｂページ１００を開き、使用可能温度を「−２０℃〜６０℃」、判定を「使用可能温度外で使用された時」、動作を「測量機ＴＳｘに警告を表示かつ機能をロック、および、測量機ＴＳｘの所有者にメール通知」に設定して保存し、Ｗｅｂページ１００を閉じる。
（２）測量機ＴＳｘは、電源ＯＮ後に、管理サーバＭＳに現在の温度を送信する。管理サーバＭＳは、温度情報を受け取った時に、測量機ＴＳｘの温度と（１）で指定された使用可能温度を比較する。管理サーバＭＳは、使用可能温度内で使用されている場合は、測量機ＴＳｘに正常応答を送信し、使用者は測量機ＴＳｘを通常使用可能である。
（３）一方、使用可能温度外での使用を検出した場合は、管理サーバＭＳは、（１）で設定された動作に基づき、測量機ＴＳｘに警告を表示して機能をロックするよう指令し、所有者に測量機ＴＳｘが使用可能温度外で使用されている旨をメール通知する。管理サーバＭＳから指令を受けた測量機ＴＳｘは、表示部１９に警告を表示し、続いて、電源ＯＦＦ以外の動作を停止する。図８は第１の実施形態に係る測量機に表示される警告の一例であり、警告は「お客様の機械は、スペックを越える環境で使用されております。測定結果に影響が出ますのでご注意願います。ＷＥＢページで、設定をご確認下さい。」などが表示される。なお、警告は、測量機ＴＳｘにスピーカが備えられている場合は音声を出力してもよい。
【００４２】
第１の実施形態のシステムによれば、予め、測量機ＴＳｘの使用可能温度、使用可能温度と測量機の温度に対する判定、判定の結果に対する動作を設定しておけば、管理サーバＭＳが、測量機ＴＳｘが使用可能温度で使用されているか否かを監視する。そして、測量機ＴＳｘが使用可能温度外で使用された場合には、管理サーバＭＳが、即座に対応をとる。このため、測量機ＴＳが使用可能温度外で使用された時、作業者および／または所有者は、測定精度が保てない環境下で使用していることに気づくことができる。
【００４３】
また、測量機ＴＳが使用可能温度外で使用された時、管理サーバＭＳが、自動で警告や機能のロックを行うので、測定精度が保証されない測量を抑制することができる。
【００４４】
（第２の実施形態）
第２の実施形態において、第１の実施形態と同一の要素については、同一の符号を用いて説明を割愛する。第１の実施形態では、測量機ＴＳの温度を温度センサ１５で直接的に監視したが、第２の実施形態では、測量機ＴＳの温度を予測して監視する。
【００４５】
（システムの全体構成）
第２の実施形態おける通信管理システム（以下、単にシステムとする）の全体構成は、図１と同様であり、測量機ＴＳ１，ＴＳ２，およびＴＳｘと、管理サーバＭＳと、遠隔端末ＲＣを有する。
【００４６】
（測量機の構成）
図９は第２の実施形態に係る測量機の構成ブロック図である。第２の実施形態に係る測量機ＴＳは、図９に示すように、測量部１３、ＧＰＳ装置１４、温度センサ１５、システムタイマ１６、制御部１７、通信部１８、表示部１９、回転駆動部２０を有する。なお、ＧＰＳ装置１４，温度センサ１５，および通信部１８は、測量機ＴＳに後付け（外付け）された構成であってもよい。
【００４７】
測量部１３，温度センサ１５，通信部１８，表示部１９，および回転駆動部２０は、第１の実施形態と同様である。
【００４８】
ＧＰＳ装置１４は、ＧＰＳ衛星から信号を受信し、測量機ＴＳのＧＰＳ情報（時刻・緯度・経度・高度）を取得する。
【００４９】
システムタイマ１６は、後述する制御部１７のＣＰＵの動作クロックを原振とし、該クロックのクロックパルスをカウントするハードウェアタイマと該ハードウェアタイマと同一周期で割り込み処理を発生させ桁上がりをカウントするソフトウェアタイマを備える。システムタイマ１６は、ハードウェアタイマとソフトウェアタイマのカウント値を演算することにより、測量機ＴＳの現在時刻（システムタイム）を取得する。なお、システムタイマ１６は、ＧＰＳ装置１４のＧＰＳ情報からＵＴＣ時刻を取得して、システムタイムを随時補正してもよい。
【００５０】
制御部１７は、測量アプリケーションプログラムを実行し、表示させるとともに、ターゲットの自動視準、測距および測角を行い、測定点の測量データを取得する。また、制御部１７は、通信部１８を用いて、通信ネットワークＮ経由で、管理サーバＭＳとの情報の送受信を行い、管理サーバＭＳからの指令を実行する。さらに、制御部１７は、管理サーバＭＳに、温度センサ１５で取得した温度情報，ＧＰＳ装置１４で取得したＧＰＳ情報，およびシステムタイマ１６で取得した時刻情報を送信する。上記温度情報，ＧＰＳ情報，および時刻情報は、例えば、測量機ＴＳの電源がＯＮになった時、または、一時間に一回あるいは少なくとも一日に一回などの一定周期で、自動で送信される。制御部１７のメモリには、測量データと、上記処理ための各種プログラムが格納されている。
【００５１】
（遠隔端末の構成）
第２の実施形態おける遠隔端末ＲＣの構成は、図３と同様であり、遠隔端末ＲＣは、端末通信部３１、端末制御部３２、端末表示部３３、および端末入力部３４を少なくとも有する、パーソナルコンピュータ、スマートフォン、またはタブレット等の端末である。
【００５２】
第２の実施形態おける端末制御部３２は、今回の設定対象となる測量機ＴＳｘの使用可能条件を設定する。使用可能条件は、測量機ＴＳｘの使用可能温度と、測量機ＴＳｘの位置および時間に関連する要素で設定される。端末制御部３２は、設定された使用可能条件に対する判定を設定する。また、判定の結果に対する動作を設定する。以下、具体的に説明する。
【００５３】
図１０は第２の実施形態に係る通信管理システムの設定時のフローチャートである。まず、ステップＳ５０１で、測量機ＴＳｘの管理者は、遠隔端末ＲＣから、測量機メーカが提供する専用のＷｅｂページ１００にログインする。
【００５４】
次に、ステップＳ５０２に移行すると、端末表示部３３に、登録された複数の測量機のリストが表示されるので、管理者は、今回の設定対象となる測量機ＴＳｘを選択する。
【００５５】
次に、ステップＳ５０３に移行すると、測量機ＴＳｘの使用可能条件を設定する画面が表示される。使用可能条件の設定は、「使用可能温度」と「適用範囲」と「適用期間」で行われる。
【００５６】
「使用可能温度」の設定は、第１の実施形態と同様であり、下限温度と上限温度を、任意に選択できる（一例として図５参照）。
【００５７】
「適用範囲」の設定は、測量機ＴＳｘに対し判定を適用する範囲の位置情報を指定する。測量機ＴＳｘの適用範囲の設定は、例えば、Ｗｅｂページ１００に表示された地図上に重ねたレイヤーにより、地図上にマウスクリックで描かれた矩形や、フリーハンドで描かれた図形などによって、任意の範囲に対して行える。この他に、適用範囲の設定は、Ｗｅｂページ１００上に表示されたテキストボックスに対して、現場中心からの半径、緯度・経度、または住所や国名などを入力することで行われてもよい。Ｗｅｂページ１００で設定された適用範囲の位置情報は、緯度・経度に変換されて把握される。
【００５８】
「適用期間」の設定は、測量機ＴＳｘに対し判定を適用する期間を指定する。測量機ＴＳｘの適用時間の設定は、「年／月／日」と「時／分」を、組み合わせ自由に選択できる。
【００５９】
次に、ステップＳ５０４に移行すると、Ｗｅｂページ１００に、ステップＳ５０３で設定した使用可能条件に対する判定の設定欄が表示される。判定の設定欄は、例えば、プルダウン形式やチェックボックスで、選択支が複数選択可能に表示される。選択支としては、例えば「使用可能温度外である場合」「使用可能温度内である場合」「使用可能温度外となると予想される場合」「使用可能温度内となると予想される場合」などが表示される。選択支は管理者が任意に追加できるように構成されてよい。管理者は、自身の管理の意向に従って判定（判定基準）を設定する。
【００６０】
次に、ステップＳ５０５に移行すると、Ｗｅｂページ１００に、ステップＳ５０４で設定した判定に対する動作の設定欄が表示される。動作の設定欄は、例えば、プルダウン形式やチェックボックスで、選択支が複数選択可能に表示される。選択支としては、例えば「登録されたメールアドレスに通知」「Ｗｅｂページ上で通知」「測量機に警告を表示」「測量機をロック（機能停止）」などが表示される。選択支は管理者が任意に追加できるように構成されてよい。管理者は、自身の管理の意向に従って動作を設定する。
【００６１】
次に、ステップＳ５０６に移行して、端末制御部３２は、上記ステップＳ５０３〜５０５で設定された使用可能条件、判定、および動作の情報を、端末通信部３１を介して管理サーバＭＳに送信する。端末制御部３２は、管理サーバＭＳから受信正常の応答を受けると、設定プログラムを終了する。
【００６２】
（管理サーバの構成）
図１１は第２の実施形態に係る管理サーバの構成ブロック図である。第２の実施形態の管理サーバＭＳも、図１１に示すように、サーバ通信部４１と、サーバ制御部４２と、データベース４３を少なくとも有する。
【００６３】
第２の実施形態のサーバ制御部４２は、少なくともＣＰＵおよびメモリ（ＲＯＭ，ＲＡＭ等）を備える制御ユニットであり、使用可能条件読出し部４７、使用可能温度判定部４５、温度超過判定部４８、および動作実行部４６を備える。
【００６４】
使用可能条件読出し部４７は、管理サーバＭＳから送信されてデータベース４３に保存された、測量機ＴＳｘの使用可能温度、適用範囲（緯度・経度）、および適用時間（年／月／日・時刻）を読み出す。
【００６５】
使用可能温度判定部４５は、第１の実施形態と同様で、測量機ＴＳｘの使用可能温度（下限温度および上限温度）と測量機ＴＳｘの温度を比較して、測量機ＴＳｘの温度が使用可能温度内か外か判定する。
【００６６】
温度超過判定部４８は、測量機ＴＳｘの適用範囲の座標（緯度・経度）と測量機ＴＳｘのＧＰＳ座標（緯度・経度）を比較して、測量機ＴＳｘの位置が適用範囲内か外か判定する。また、測量機ＴＳｘの適用時間と測量機ＴＳｘの現在時刻を比較して、測量機ＴＳｘの使用時刻が適用時間内か外かの判定を実行する。そして、測量機ＴＳｘの位置が適用範囲内で、測量機ＴＳｘの使用時刻が適用時間内であったとき、今後測量機ＴＳｘの使用環境が使用可能温度外となるか否かの判定を実行する。
【００６７】
データベース４３には、測量機ＴＳおよび遠隔端末ＲＣから受信した情報が、測量機ＴＳの管理番号と関連付けて保存される。さらに、本形態のデータベース４３には、位置（緯度・経度）情報と時刻（年月日・時分）情報に基づき統計的に予測されるその地域の気温を記録した予測温度テーブル４９が格納されている。予測温度テーブル４９は、予め作成されてデータベース４３に保存されており、データの更新可能に構成されている。
【００６８】
動作実行部４６は、判定部４５および４８の判定の結果に基づき、管理サーバＭＳから設定された動作を実行する。以下、具体的に説明する。
【００６９】
図１２は、第２の実施形態に係る管理サーバの処理フローチャートである。まず、ステップＳ６０１で、管理サーバＭＳは、測量機ＴＳｘから、温度情報，ＧＰＳ情報，および時刻情報を受信し、使用可能条件読出し部４７が測量機ＴＳｘの使用可能条件（使用可能温度，適用範囲，適用時間）をデータベース４３から読出す。
【００７０】
次に、ステップＳ６０２に移行して、使用可能温度判定部４５が使用可能温度と測量機ＴＳｘの現在の温度を比較する。測量機ＴＳｘの温度が使用可能温度を超えている場合（Ｙｅｓ）は、ステップＳ６０３に移行し、「使用可能温度外である場合」に設定されている動作を実行する。測量機ＴＳｘの現在の温度が使用可能温度以下である場合（Ｎｏ）は、ステップＳ６０４に移行する。
【００７１】
ステップＳ６０４に移行すると、温度超過判定部４８が、使用可能条件に適用範囲の設定があるか確認する。設定がない場合（Ｎｏ）は、温度超過予測不能であるので、管理サーバＭＳは処理を終了する。設定がある場合（Ｙｅｓ）は、ステップＳ６０５に移行する。
【００７２】
ステップＳ６０４に移行すると、温度超過判定部４８が、ステップＳ６０１で受信した情報に測量機ＴＳｘの位置情報が含まれているか確認する。位置情報がない場合（Ｎｏ）は、温度超過予測不能であるので、管理サーバＭＳは処理を終了する。位置情報がある場合（Ｙｅｓ）は、ステップＳ６０６に移行する。
【００７３】
ステップＳ６０６に移行すると、温度超過判定部４８が、測量機ＴＳｘの位置が適用範囲内か外かを判定する。適用範囲外である場合（Ｎｏ）は、今回の管理対象ではないので、管理サーバＭＳは処理を終了する。適用範囲内である場合（Ｙｅｓ）は、ステップＳ６０７に移行する。
【００７４】
ステップＳ６０７に移行すると、温度超過判定部４８が、測量機ＴＳｘの位置と測量機ＴＳｘの現在時刻をデータベース４３の予測温度テーブル４９に照らし、測量機ＴＳｘの予測温度が今後使用可能温度外となるか否かを判定する。使用可能温度外となると予想される時間帯に至らない場合（Ｎｏ）は、管理サーバＭＳは処理を終了する。使用可能温度外となると予想される時間帯に至る場合（Ｙｅｓ）は、ステップＳ６０８に移行し、「使用可能温度外となると予想される場合」に設定されている動作を実行し、管理サーバＭＳは処理を終了する。図１２の破線で示すステップＳ６０９〜Ｓ６１０については後述する。
【００７５】
第２の実施形態に係る通信管理システムの使用例を示す。
（１）管理者は、遠隔端末ＲＣでＷｅｂページ１００を開き、使用可能条件を「使用可能温度：−２０℃〜６０℃」「適用範囲：サウジアラビア」「適用時間：７月１日〜１０月３１日の１０時００分〜１６時００分」、判定を「使用可能温度外である場合および使用可能温度外となると予想される場合」、動作を「測量機ＴＳｘに警告を表示かつ機能をロック、および、測量機ＴＳｘの所有者にメール通知」に設定して保存し、Ｗｅｂページ１００を閉じる。
（２）測量機ＴＳｘは、一時間毎に管理サーバＭＳに温度情報，ＧＰＳ情報，および時刻情報を送信する。管理サーバＭＳは、情報を受け取った時に、使用可能温度と測量機ＴＳｘの温度を比較して、測量機ＴＳｘの温度が使用可能温度内か外かの判定を実行する。使用可能温度内であった場合は、測量機ＴＳｘの現在位置と現在時刻を、予測温度テーブル４９に照らして、測量機ＴＳｘの予測温度が今後使用可能温度外となると予想される時間帯に至るか否かの判定を実行する。
（３）測量機ＴＳｘの現在温度が使用可能温度内であった場合、または、測量機ＴＳｘの予測温度が使用可能温度内となると予想される場合は、管理サーバＭＳは、測量機ＴＳｘに正常応答を送信し、使用者は測量機ＴＳｘを通常使用可能である。測量機ＴＳｘの現在温度が使用可能温度外であった場合、または、測量機ＴＳｘの予測温度が今後使用可能温度外となると予想される場合は、管理サーバＭＳは、（１）で設定された動作に基づき、測量機ＴＳｘに警告を表示して機能をロックするよう指令し、所有者に測量機ＴＳｘが範囲外で使用されている旨をメール通知する。管理サーバＭＳから指令を受けた測量機ＴＳｘは、表示部１９に警告を表示し（一例として図８参照）、続いて、電源ＯＦＦ以外の動作を停止する。
【００７６】
第２の実施形態のシステムによれば、予め、測量機ＴＳｘの使用可能条件（適用範囲および適用時間）、使用可能条件に対する判定、判定の結果に対する動作を設定しておけば、管理サーバＭＳが、測量機ＴＳｘが今後使用可能温度を超える環境下で使用されるか否かを予測し、監視する。そして、測量機ＴＳｘが今後使用可能温度を超える環境下に至る場合は、管理サーバＭＳが即座に対応をとる。このため、測量機ＴＳが使用可能温度外で使用されるおそれがある時、作業者および／または所有者は、測定精度が保証されない環境下で使用されるおそれがあることに気づくことができる。また、測量機ＴＳが使用可能温度外で使用されるおそれがある時、管理サーバＭＳが、自動で警告や機能のロックを行うので、測定精度が保てない測量を抑制することができる。
【００７７】
第２の実施形態のシステムは、測量機ＴＳｘが今後使用可能温度を超える環境下に至るか否かを予測する（温度超過予測）ことによって、測量機ＴＳｘがスペックの保証範囲を超える環境下で使用されることを防ぐのを趣旨としたものである。温度超過予測は、測量機ＴＳｘのＧＰＳ情報，および時刻情報と、管理サーバＭＳに格納された予測温度テーブル４９で行われる。
【００７８】
上述した本形態のシステムの例（図９〜図１２）では、第１の実施形態に係る、測量機ＴＳの温度を直接的に監視するシステムと上記温度超過予測のシステムを組み合わせた例を記載している。従って、温度超過予測のみに関する実施形態においては、図９の温度センサ１５は任意の構成である。また、測量機ＴＳｘから管理サーバＭＳへの温度情報の送信も任意である。また、図１０のステップＳ５０４で例示した「使用可能温度外である場合」「使用可能温度内である場合」の表示も任意である。また、図１１の使用可能温度判定部４５も任意の要素である。また、図１２の処理フローにおけるステップＳ６０２〜Ｓ６０３での現在温度の比較も、任意である。
【００７９】
（変形例）
第２の実施形態のシステムの変形例を述べる。測量機ＴＳｘの使用可能条件として、測量機ＴＳｘの高度に関連する要素が追加されるのも好ましい。「適用高度」は、Ｗｅｂページ１００で、任意選択可能な項目として表示される。「適用高度」の設定は、例えば、「ジオイド高：３６．０ｍ〜３５０．０ｍ」などと入力する。
【００８０】
「適用高度」の設定がある場合の管理サーバＭＳの処理フローを、図１２を参照して説明する。例えば、「適用高度」の処理は、破線で示されており、ステップＳ６０７の処理の後に行われる。ステップＳ６０７で、測量機ＴＳｘが今後使用可能温度外となると予想される時間帯に至る（Ｙｅｓ）と判定された場合、「適用高度」の処理となるステップＳ６０９に移行する。
【００８１】
ステップＳ６０９に移行すると、温度超過判定部４８が、使用可能条件に適用高度の設定があるか確認する。設定がない場合（Ｎｏ）は、温度超過予測不能であるので、管理サーバＭＳは処理を終了する。設定がある場合（Ｙｅｓ）は、ステップＳ６１０に移行する。
【００８２】
ステップＳ６１０に移行すると、温度超過判定部４８が、測量機ＴＳｘから受信した高度情報（ＧＰＳ情報に含まれる）を基に、データベース４３の予測温度テーブル４９から読み出した予測温度に、高度補正を行う。そして、高度補正した予測温度（以下、補正温度とする）を基に、測量機ＴＳｘの補正温度が今後使用可能温度外となると予想される時間帯に至るか否かを判定する。使用可能温度外となると予想されない場合（Ｎｏ）は、管理サーバＭＳは処理を終了する。使用可能温度外となると予想される場合（Ｙｅｓ）は、ステップＳ６０８に移行し、「使用可能温度外となると予想される場合」に設定されている動作を実行し、管理サーバＭＳは処理を終了する。
【００８３】
本変形例によれば、さらに高度も加味した温度超過予測が行えるので、測量機ＴＳｘが高度の高いエリアで使用される場合好ましい。なお、測量機ＴＳｘが気圧センサを備えている場合は、測量機ＴＳｘの高度情報は気圧センサの値が使用されてよい。
【００８４】
以上、本発明の好ましい実施の形態および変形例を述べたが、これらを当業者の知識に基づいて改変したり、組み合わせたりすることは可能であり、そのような形態も本発明の範囲に含まれる。
【符号の説明】
【００８５】
ＴＳ１  ＴＳ２  ＴＳｘ 測量機
ＲＣ  遠隔端末
ＭＳ  管理サーバ
１３  測量部
１４  ＧＰＳ装置
１５  温度センサ
１６  システムタイマ
１７  制御部
１８  通信部
１９  表示部
２０  回転駆動部
３１  端末通信部
３２  端末制御部
３３  端末表示部
４１  サーバ通信部
４２  サーバ制御部
４３  データベース
４４  使用可能温度読出し部
４５  使用可能温度判定部
４６  動作実行部
４７  使用可能条件読出し部
４８  温度超過判定部
４９  予測温度テーブル
１００  Ｗｅｂページ
【図１】
2019007904.tif 000003
【図２】
2019007904.tif 000004
【図３】
2019007904.tif 000005
【図４】
2019007904.tif 000006
【図５】
2019007904.tif 000007
【図６】
2019007904.tif 000008
【図７】
2019007904.tif 000009
【図８】
2019007904.tif 000010
【図９】
2019007904.tif 000011
【図１０】
2019007904.tif 000012
【図１１】
2019007904.tif 000013
【図１２】
2019007904.tif 000014
【手続補正書】
【提出日】平成30年4月13日(2018.4.13)
【手続補正１】
【補正対象書類名】明細書
【補正対象項目名】００７２
【補正方法】変更
【補正の内容】
【００７２】
ステップＳ６０５に移行すると、温度超過判定部４８が、ステップＳ６０１で受信した情報に測量機ＴＳｘの位置情報が含まれているか確認する。位置情報がない場合（Ｎｏ）は、温度超過予測不能であるので、管理サーバＭＳは処理を終了する。位置情報がある場合（Ｙｅｓ）は、ステップＳ６０６に移行する。
【手続補正２】
【補正対象書類名】図面
【補正対象項目名】図４
【補正方法】変更
【補正の内容】
【図４】
2019007904.tif 000015